(57)【要約】  【課題】  使用者が化粧をするに当たって所望のブラシの延出長さを適宜簡単に作り出すことができる塗布具を提供する。  【解決手段】  周壁５２ａに開口が設けられた筒状部５２、及び、この筒状部５２内に収容された棒状部５３を含む柄１１と、棒状部５３から開口を通じて周壁５２ａの外側に延出するブラシ１２とを備えた塗布具１であって、筒状部５２及び棒状部５３は、周壁５２ａの外側に延出するブラシ１２の延出長さを最大とする位置とブラシ１２の延出長さを最小とする位置との間で相対移動が可能であり、筒状部５２及び棒状部５３の間には、周壁５２ａの外側に延出しないブラシ１２の部分を収容するための空間が確保されている。【選択図】  図１
2007289450.tif 000002
【特許請求の範囲】
【請求項１】
周壁に開口が設けられた筒状部、及び、この筒状部内に収容された棒状部を含む柄と、前記棒状部から前記開口を通じて前記周壁の外側に延出するブラシとを備えた塗布具であって、
前記筒状部及び前記棒状部は、前記周壁の外側に延出する前記ブラシの延出長さを最大とする位置と該ブラシの延出長さを最小とする位置との間で相対移動が可能であり、
前記筒状部及び前記棒状部の間には、前記周壁の外側に延出しない前記ブラシの部分を収容するための空間が確保されていることを特徴とする塗布具。
【請求項２】
周壁に開口が設けられた筒状部、及び、この筒状部内に軸線方向に移動不能に収容された棒状部を含む柄と、前記棒状部から前記開口を通じて前記周壁の外側に延出するブラシとを備えた塗布具であって、
前記筒状部及び前記棒状部は、前記周壁の外側に延出する前記ブラシの延出長さを最大とする位置と該ブラシの延出長さを最小とする位置との間で軸線を中心とした相対回転が可能であり、
前記筒状部及び前記棒状部の間には、前記周壁の外側に延出しない前記ブラシの部分を収容するための空間が確保されていることを特徴とする塗布具。
【請求項３】
前記ブラシの延出長さを最小とする位置を、該ブラシの延出長さを短くする前記相対移動又は前記相対回転の可動限とする、ストッパーを有していることを特徴とする請求項１又は２に記載の塗布具。
【発明の詳細な説明】
【技術分野】
【０００１】
本発明は、例えば液状化粧料たるマスカラを睫毛に塗布する目的に用いられるマスカラ用の塗布具に関する。
【背景技術】
【０００２】
従来の塗布具としては、例えばマスカラ用の塗布具であって、一の柄と、この柄の両端に一般的な黒色のマスカラを睫毛に塗布するための第一のブラシと上塗りのマスカラを睫毛に塗布するための第二のブラシとをそれぞれ有するものが開示されている（例えば、特許文献１参照）。
【特許文献１】登録実用新案第３０６９２３５号公報
【発明の開示】
【発明が解決しようとする課題】
【０００３】
ところで、睫毛にマスカラを塗布するに当たってブラシに付着させるべきマスカラの量は、個人毎に千差万別であり同人でも経時的に変化する、睫毛の長さ、睫毛の質、塗布の仕方などの使用者の個性に応じて適切に調節されることが要請されている。
しかしながら、従来のマスカラ用の塗布具においては、第一のブラシ・第二のブラシという２種類の異なる機能をもつブラシが用意されているものの、これらのブラシは柄の周壁から外側に延出する延出長さがあらかじめ決められた値に設定されているため、ブラシに付着させるべきマスカラの量を使用者の個性に応じて適切に調節することは事実上かなり困難である。
【０００４】
このような要請は、マスカラ用の塗布具に対するものに限られず、近年の個性を重視する使用者のニーズに伴い、アイブロー用の塗布具や染毛用の塗布具に対しても、ブラシに付着させるべき化粧料の量を使用者の個性に応じて適切に調節することが求められている。
【０００５】
そこで、本発明の課題は、ブラシに付着させるべき化粧料の量を使用者の個性に応じて適切に調節することができるように、使用者が化粧をするに当たって所望のブラシの延出長さを適宜簡単に作り出すことができるような塗布具を提供することにある。
【課題を解決するための手段】
【０００６】
上記課題を解決するため、本発明に係る一の塗布具は、周壁に開口が設けられた筒状部、及び、この筒状部内に収容された棒状部を含む柄と、棒状部から開口を通じて周壁の外側に延出するブラシとを備えた塗布具であって、筒状部及び棒状部は、周壁の外側に延出するブラシの延出長さを最大とする位置とブラシの延出長さを最小とする位置との間で相対移動が可能であり、筒状部及び棒状部の間には、周壁の外側に延出しないブラシの部分を収容するための空間が確保されていることを特徴としている。
【０００７】
このような塗布具によれば、周壁に開口をもつ筒状部と筒状部内に収容され開口を通じて周壁の外側に延出するブラシをもつ棒状部とを備え、筒状部及び棒状部がブラシの延出長さを最大とする位置と最小とする位置との間で相対移動が可能であり、筒状部及び棒状部の間にブラシの非延出部分を収容する空間が確保されたので、使用者は、化粧をするに当たって必要な筒状部及び棒状部の相対移動を実行することにより、所望のブラシの延出長さを適宜簡単に作り出すことができる。
【０００８】
したがって、このような塗布具によれば、使用者はブラシの延出長さを化粧をする時点・時点における相応な長さに設定することにより、ブラシに付着させるべき化粧料の量を使用者の個性に応じて適切に調節することが可能となる。
【０００９】
また、本発明に係る他の塗布具は、周壁に開口が設けられた筒状部、及び、この筒状部内に軸線方向に移動不能に収容された棒状部を含む柄と、棒状部から開口を通じて周壁の外側に延出するブラシとを備えた塗布具であって、筒状部及び棒状部は、周壁の外側に延出するブラシの延出長さを最大とする位置とブラシの延出長さを最小とする位置との間で軸線を中心とした相対回転が可能であり、筒状部及び棒状部の間には、周壁の外側に延出しないブラシの部分を収容するための空間が確保されていることを特徴としている。
【００１０】
このような塗布具によれば、周壁に開口をもつ筒状部と筒状部内に収容され開口を通じて周壁の外側に延出するブラシをもつ棒状部とを備え、筒状部及び棒状部がブラシの延出長さを最大とする位置と最小とする位置との間で軸線を中心とした相対回転が可能であり、筒状部及び棒状部の間にブラシの非延出部分を収容する空間が確保されたので、使用者は、化粧をするに当たって必要な筒状部及び棒状部の軸線を中心とした相対回転を実行することにより、所望のブラシの延出長さを適宜簡単に作り出すことができる。
【００１１】
したがって、このような塗布具によれば、使用者はブラシの延出長さを化粧をする時点・時点における相応な長さに設定することにより、ブラシに付着させるべき化粧料の量を使用者の個性に応じて適切に調節することが可能となる。
【００１２】
このような技術的手段において、ブラシの延出長さを短くする際にブラシの延出部分の全てが空間内に引き込まれることのないようにして、本装置が作動しなくなる事態を確実に回避しようとする観点からすれば、ブラシの延出長さを最小とする位置を、ブラシの延出長さを短くする相対移動又は相対回転の可動限とする、ストッパーを有していることが好ましい。
【発明の効果】
【００１３】
本発明に係る塗布具によれば、使用者が化粧をするに当たって所望のブラシの延出長さを適宜簡単に作り出すことができ、ブラシに付着させるべき化粧料の量を使用者の個性に応じて適切に調節し得ることとなる。
【発明を実施するための最良の形態】
【００１４】
以下、添付図面に基づいて本発明の実施の形態を詳細に説明する。
【００１５】
図１は本発明の一実施の形態に係る塗布具の全体構成を示す斜視図、図２は同塗布具の外観構成を示す斜視図、図３は同塗布具の外観構成を示す底面図、図４は同塗布具が適用された塗布具付き容器の全体構成を示す斜視図、図５は同塗布具付き容器の部分構成を示す斜視図、図６は同塗布具付き容器の外観構成を示す斜視図、図７は本発明の一実施の形態に係る塗布具の部分構成を示す斜視図、図８は同塗布具の部分構成を示す斜視図、図９は同塗布具の作用を説明する断面図、図１０は同塗布具の作用を説明する断面図である。
【００１６】
本実施の形態において、マスカラ用の塗布具１は、液状化粧料たるマスカラを睫毛に塗布する目的に用いられるものであり、図４〜図６に示すような、マスカラを収容するとともに収容されたマスカラを取り出して塗布することを可能とする塗布具付き容器１０の部品として構成されたキャップ付きの塗布具１である。
【００１７】
なお、塗布具付き容器１０は、これらの図に示すように、マスカラ用の塗布具１の他に、ボトル２、及び、しごき部材３を備えたものとして構成されている。
【００１８】
ここで、ボトル２は、プラスチック、金属、ガラス、紙その他の材料又はこれらの複合材料からなり、図４及び図５に示すように、マスカラを収容するための収容部２１ａと、この収容部２１ａ内からマスカラを取り出すための開口部２３ａとを備えたものとして構成されている。具体的には、ボトル２は、図４及び図５に示すように、有底筒状に形成された収容部２１ａが設けられた胴体部２１と、肩部２２を介して胴体部２１の上側に連続する首部２３とからなっている。ここで、開口部２３ａは首部２３の内周部として形成されている。
【００１９】
また、しごき部材３は、弾性を有するゴム体、弾性を有しないプラスチックその他の材料からなり、これらの図に示すように、内周部を後述する柄１１及び弾性ブラシ１２が通過する通過孔３１とする略筒状（例えば円筒状）に形成されており、開口部２３ａ（例えば外周部が首部２３内であって収容部２１ａ内を臨む部位）に装着されている。すなわち、しごき部材３は、通過孔３１内をマスカラ用の塗布具１の柄１１及び弾性ブラシ１２が通過する際に、弾性ブラシ１２に付着したマスカラの一部で余剰のものを掻き取ることにより、適正な量のマスカラが付着した弾性ブラシ１２とするために用いられるものである。
【００２０】
具体的には、このマスカラ用の塗布具１は、図１〜図４に示すように、柄１１と、弾性ブラシ１２とを含むものとして構成されている。
【００２１】
以下、これらの各構成要素についてさらに詳細に説明する。
【００２２】
（１）柄１１
柄１１は、プラスチック、金属、これらの複合材料その他の材料からなり、図１〜図４に示すように、キャップ付きの柄１１であって、ボトル２の首部２３に装着されるキャップ部５１と、このキャップ部５１から先端側に向けて延出される筒状部５２と、この筒状部５２内に後端側から挿入される棒状部５３とを備えたものとして構成されている。
【００２３】
ここで、筒状部５２は、これらの図に示すように、筒状（例えば円筒状）に形成されており、周壁５２ａを有するものとして構成されている。
【００２４】
具体的には、筒状部５２は、図１及び図４に示すように、本実施の形態に係るマスカラ用の塗布具１を用いて化粧をする際にボトル２の収容部２１ａ内に浸すことを可能とされた先端側に係る筒状塗布区間１０１と、キャップ部５１の内周部に嵌着されることを可能とされた基端側に係る嵌着区間１０２と、筒状塗布区間１０１及び嵌着区間１０２の間に形成された筒状中間区間１０３とからなっている。
【００２５】
筒状塗布区間１０１は、図７、図９及び図１０に示すように、その周壁５２ａにスリット１０１ａが設けられたものとして構成されている。
【００２６】
本実施の形態におけるスリット１０１ａとしては、これらの図に示すように、筒状塗布区間１０１の周壁５２ａに軸線方向に延びるものであるとともに周方向に適宜間隔に複数条（例えば４条）設けられたスリット１０１ａが採用されている。
【００２７】
ここで、各スリット１０１ａは、筒状部５２及び棒状部５３が弾性ブラシ１２の延出長さを最大とする位置と最小とする位置との間で行う軸線を中心とした相対回転に追従して、弾性ブラシ１２の各櫛歯が横倒し状態から起立状態に原形復帰するのに支障とならない内幅寸法・形状に設定されている（図９及び図１０参照）。
【００２８】
このようにスリット１０１ａに筒状塗布区間１０１の周壁５２ａに軸線方向に延びかつ周方向に適宜間隔に複数条設けられたものであることを要求するのは、使用者が筒状部５２及び棒状部５３の間で行う軸線を中心とした相対回転に追従して弾性ブラシ１２の延出長さが可変設定されるという動作を確保することにより、所望の弾性ブラシ１２の延出長さを適宜簡単に作り出すことが可能なマスカラ用の塗布具１とするためである。したがって、このような役割を果たすものであれば、本発明において筒状塗布区間１０１の周壁５２ａに軸線方向に延びかつ周方向に適宜間隔に複数条設けられたスリット１０１ａの代わりに筒状塗布区間１０１の周壁５２ａに適宜間隔をおいて間欠的に設けられた複数の孔その他の開口を用いることが可能である。
【００２９】
また、棒状部５３は、筒状部５２内に軸線方向に移動不能（例えば摺動不能）及び軸線を中心として相対回転可能に収容されるものとして構成されている（図１及び図４参照）。
【００３０】
具体的には、棒状部５３は、図１及び図４に示すように、外側に向かって延出している弾性ブラシ１２の基端部を固定的に支持している先端側に係る棒状塗布区間１１１と、本実施の形態に係るマスカラ用の塗布具１を用いて化粧をする際に筒状部５２及び棒状部５３の間に相対回転をさせるための回転力を付与することを可能とされた基端側に係る操作区間１１２と、棒状塗布区間１１１及び操作区間１１２の間に形成された棒状中間区間１１３とからなっている（図８参照）。
【００３１】
なお、本実施の形態における先端側に係る棒状塗布区間１１１においては、棒状部５３及び弾性ブラシ１２を一体に成形することにより、弾性ブラシ１２の基端部を固定的に支持することとしている。但し、先端側に係る棒状塗布区間１１１の態様は、これに限定されるものではなく、弾性ブラシ１２の基端部を可動的に支持するものであっても差し支えなく、例えば歯ブラシに適用される植毛を用いてもよいし、マスカラブラシに適用される巻き線ブラシ等を用いることも可能である。
【００３２】
すなわち、筒状部５２及び棒状部５３は、図９及び図１０に示すように、周壁５２ａの外側に延出する弾性ブラシ１２の延出長さを最大とする位置と弾性ブラシ１２の延出長さを最小とする位置との間で軸線を中心とした相対回転を行い得るものとして構成されている。
【００３３】
これら筒状部５２及び棒状部５３に弾性ブラシ１２の延出長さを最大とする位置と最小とする位置との間で軸線を中心とした相対回転を行い得ることを要求するのは、使用者が筒状部５２及び棒状部５３の間で行う軸線を中心とした相対回転に追従して弾性ブラシ１２の延出長さが可変設定されるという動作を確保することにより、所望のブラシの延出長さを適宜簡単に作り出すことが可能なマスカラ用の塗布具１とするためである。したがって、このような役割を果たすものであれば、本発明において弾性ブラシ１２の延出長さを最大とする位置と最小とする位置との間で軸線を中心とした相対回転が可能である筒状部５２及び棒状部５３の代わりに軸線方向における摺動移動が可能である筒状部及び棒状部その他の相対移動が可能である筒状部及び棒状部を用いても差し支えない。
【００３４】
加えて、筒状部５２及び棒状部５３の間には、図９及び図１０に示すように、周壁５２ａの内周面よりも外側に延出しない弾性ブラシ１２の部分を収容するための空間１３が確保されている。
【００３５】
具体的には、空間１３は、これらの図に示すように、棒状部５３の外径寸法に対し筒状部５２の内径寸法が相当に大きく設定されることにより、筒状部５２の内周面及び棒状部５３の外周面の間に画成されたものとして構成されている。
【００３６】
ここで、空間１３は、これらの図に示すように、筒状部５２及び棒状部５３が弾性ブラシ１２の延出長さを最大とする位置と最小とする位置との間で行う軸線を中心とした相対回転に追従して、周壁５２ａの内周面よりも外側に延出しない弾性ブラシ１２の部分を収容するのに支障とならない内幅寸法・形状に設定されている。具体的には、これらの図に示すように、筒状部５２の内周面及び棒状部５３の外周面の間における内幅寸法が十分な大きさに設定されるとともに、筒状部５２の内周面とスリット１０１ａを画成するように軸線方向に沿って形成される側端面とが出会う角部が丸みを帯びた形状に形成されている。
【００３７】
このように筒状部５２及び棒状部５３の間に周壁５２ａの外側に延出しない弾性ブラシ１２の部分を収容し得る空間１３を確保することを要求するのは、使用者が筒状部５２及び棒状部５３の間で行う軸線を中心とした相対回転に追従して弾性ブラシ１２の延出長さが可変設定されるという動作を確保することにより、所望のブラシの延出長さを適宜簡単に作り出すことが可能なマスカラ用の塗布具１とするためである。したがって、このような役割を果たすものであれば、本発明において筒状部５２の内周面及び棒状部５３の外周面の間に形成される空間１３の代わりに棒状部５３を筒状に形成した場合における内部空間その他の空間を用いることが可能である。
【００３８】
なお、キャップ部５１は、図１、図２及び図４に示すように、有頂筒状（例えば有頂円筒状）に形成されており、前述した筒状部５２の嵌着区間１０２が嵌着している内周部及びボトル２の首部２３の外周部に形成された雄螺子２３ｂに螺合することが可能である雌螺子５１ａが形成された内周部を有する筒状（例えば円筒状）のキャップ区間１２１と、キャップ区間１２１の基端側に同軸的に配設されるとともに先端側面がキャップ区間１２１の基端側面に相対回転可能に接合されており棒状部５３の構成要素でもあるキャップ頂部としての役割を果たす柱状の操作区間１１２とを備えたものとして構成されている。そして、このようなキャップ部５１をボトル２の首部２３に螺着することにより、ボトル２内部の密閉性を確保することが可能となっている。
【００３９】
（２）弾性ブラシ１２
弾性ブラシ１２は、棒状塗布区間１１１によって固定的に支持されたものであり、図１〜図４及び図８〜図１０に示すように、棒状部５３からスリット１０１ａを通じて周壁５２ａの外側に向けて延出するものとして構成されている。具体的には、弾性ブラシ１２は、棒状部５３の棒状塗布区間１１１と一体的に成形してなるものである。
【００４０】
なお、弾性ブラシ１２は、このような態様に限定されるものでなく、例えば棒状塗布区間１１１によって可動的に支持されるものであっても差し支えない。
【００４１】
本実施の形態における弾性ブラシ１２は、図８に示すように、間欠的に列状配置された複数の櫛歯を周方向に適宜間隔に複数条（例えば４条）設けてなるものであり、かつ、各櫛歯を横倒し状態から起立状態に原形復帰させることを可能とする弾性を有している。
【００４２】
このように弾性ブラシ１２に横倒し状態から起立状態に原形復帰し得る弾性を有することを要求するのは、使用者が筒状部５２及び棒状部５３の間で行う軸線を中心とした相対回転に追従して弾性ブラシ１２の延出長さが可変設定されるという動作を確保することにより、所望のブラシの延出長さを適宜簡単に作り出すことが可能なマスカラ用の塗布具１とするためである。したがって、このような役割を果たすものであれば、本発明において横倒し状態から起立状態に原形復帰し得る弾性を有する弾性ブラシ１２の代わりに弾性を有しないブラシその他のブラシを用いてもよい。
【００４３】
また、弾性ブラシ１２に間欠的に列状配置された複数の櫛歯からなることを要求するのは、ブラシに付着させるべきマスカラの量を使用者の個性に応じて適切に調節し得るものという本発明の本質を逸脱しないマスカラ用の塗布具１とするためである。したがって、このような役割を果たすものであれば、本発明において間欠的に列状配置された複数の櫛歯からなる弾性ブラシ１２の代わりに適宜連続的に配置された複数の櫛歯やブラシ毛からなる弾性ブラシ１２その他のブラシを用いることが可能である。
【００４４】
（３）ストッパー
ストッパーは、図示しないが、弾性ブラシ１２の延出長さを最小とする位置を、弾性ブラシ１２の延出長さを短くする相対回転の可動限とするものとして構成されている。
【００４５】
このようなストッパーにより、弾性ブラシ１２の延出長さを短くする際に弾性ブラシ１２の延出部分の全てが空間１３内に引き込まれる事態を確実に回避することが可能となっており、その結果、本装置の作動を担保することが可能となっている。
【００４６】
なお、本実施の形態におけるストッパーの他に、弾性ブラシ１２の延出長さを最大とする位置を、弾性ブラシ１２の延出長さを長くする相対回転の可動限とするストッパーを更に有することとしても勿論差し支えない。
【００４７】
上記したように、本実施の形態におけるマスカラ用の塗布具１にあっては、周壁５２ａに開口を有する筒状部５２と筒状部５２内に収容され開口を通じて周壁５２ａの外側に延出する弾性ブラシ１２を有する棒状部５３とを備えており、筒状部５２及び棒状部５３が弾性ブラシ１２の延出長さを最大とする位置と最小とする位置との間で軸線を中心とした相対回転が可能なものとして構成されており、しかも筒状部５２及び棒状部５３の間に弾性ブラシ１２の非延出部分を収容する空間１３が確保されている。
【００４８】
したがって、このようなマスカラ用の塗布具１によれば、睫毛にマスカラを塗布するに当たって、使用者は必要な筒状部５２及び棒状部５３の軸線を中心とした相対回転を実行することが可能となっており、これにより、所望のブラシの延出長さを適宜簡単に作り出すことが可能となっている。
【００４９】
すなわち、このようなマスカラ用の塗布具１によれば、使用者はブラシの延出長さを睫毛にマスカラを塗布する時点・時点における相応な長さに設定することにより、ブラシに付着させるべきマスカラの量を使用者の個性に応じて適切に調節することが可能となっている。
【００５０】
以上、本発明に係る塗布具の一実施の形態としてのマスカラ用の塗布具１について説明したが、本発明はこのような実施の形態に限定されるものではない。例えば、アイブロー用の塗布具に適用してもよいし、染毛用の塗布具に適用してもよい。また、ボトル、ジャー、チューブ、スティックその他の容器の部品として構成されたものに限定されず、独立の塗布具として構成されたものであっても差し支えない。
【図面の簡単な説明】
【００５１】
【図１】本発明の一実施の形態に係る塗布具の全体構成を示す斜視図である。
【図２】同塗布具の外観構成を示す斜視図である。
【図３】同塗布具の外観構成を示す底面図である。
【図４】同塗布具が適用された塗布具付き容器の全体構成を示す斜視図である。
【図５】同塗布具付き容器の部分構成を示す斜視図である。
【図６】同塗布具付き容器の外観構成を示す斜視図である。
【図７】本発明の一実施の形態に係る塗布具の部分構成を示す斜視図である。
【図８】同塗布具の部分構成を示す斜視図である。
【図９】同塗布具の作用を説明する断面図である。
【図１０】同塗布具の作用を説明する断面図である。
【符号の説明】
【００５２】
１ 塗布具
２ ボトル
３ しごき部材
１０ 塗布具付き容器
１１ 柄
１２ 弾性ブラシ
１３ 空間
２１ 胴体部
２１ａ 収容部
２２ 肩部
２３ 首部
２３ａ 開口部
２３ｂ 雄螺子
３１ 通過孔
５１ キャップ部
５１ａ 雌螺子
５２ 筒状部
５２ａ 周壁
５３ 棒状部
１０１ 筒状塗布区間
１０１ａ スリット
１０２ 嵌着区間
１０３ 筒状中間区間
１１１ 棒状塗布区間
１１２ 操作区間
１１３ 棒状中間区間
１２１ キャップ区間
【図１】
2007289450.tif 000003
【図２】
2007289450.tif 000004
【図３】
2007289450.tif 000005
【図４】
2007289450.tif 000006
【図５】
2007289450.tif 000007
【図６】
2007289450.tif 000008
【図７】
2007289450.tif 000009
【図８】
2007289450.tif 000010
【図９】
2007289450.tif 000011
【図１０】
2007289450.tif 000012